(57)【要約】【課題】地上波デジタル放送の情報を、ナビゲーション装置等の車載機で簡便に用いる技術を提供する。【解決手段】  地上波デジタル放送受信機は、放送局から受信した情報（例えば、店の位置情報）を、車載機での用途（例えば、ナビゲーション装置の場合、目的地設定）とともに記憶する。そして、車載機は、用途をキーとして記憶された情報の中から必要な情報を探す。そして、記憶された情報が、対応する用途に用いられるように設定する。【選択図】図１
2006186471.tif 000002
【特許請求の範囲】
【請求項１】
地上波デジタル放送受信機と車載機とを有するシステムの情報処理方法であって、
前記地上波デジタル放送受信機は、放送局から受信した情報を、当該情報の前記車載機での用途に対応させて記憶装置に記憶させ、
前記車載機は、前記記憶装置に記憶された情報を、当該情報に対応させて記憶された用途に利用することを特徴とするシステムの情報処理方法。
【請求項２】
地上波デジタル放送受信機と車載機とを有するシステムの情報処理方法であって、
前記地上波デジタル放送受信機は、放送局から受信した情報を、当該情報の前記車載機での用途に対応させて記憶装置に記憶させ、
前記車載機は、用途の選択を受け付ける用途受付ステップと、
前記記憶装置に記憶された情報の中から、前記用途受付ステップにより受け付けた用途に対応する情報を抽出する情報抽出ステップと、
前記情報抽出ステップにより抽出した情報を、当該情報に対応させて記憶された用途に利用する情報利用ステップとを行うことを特徴とするシステムの情報処理方法。
【請求項３】
地上波デジタル放送受信機と車載機とを有するシステムの情報処理方法であって、
前記地上波デジタル放送受信機は、
放送局から受信した情報の前記車載機での用途の選択を受け付ける用途選択受付ステップと、
放送局から受信した情報を、前記用途選択受付ステップにより受け付けた用途に対応させて記憶装置に記憶させる記憶ステップとを行い、
前記車載機は、前記記憶装置に記憶された情報を、当該情報に対応させて記憶された用途に利用することを特徴とするシステムの情報処理方法。
【請求項４】
請求項３において、
前記用途選択受付ステップは、複数の用途の選択を受け付ける
ことを特徴とするシステムの情報処理方法。
【請求項５】
地上波デジタル放送受信機と車載機とを有するシステムの情報処理方法であって、
前記地上波デジタル放送受信機は、
放送局から受信した情報の中に、前記車載機で利用される情報があるか否か判定する判定ステップと、
前記判定ステップにより放送局から受信した情報の中に、前記車載機で利用される情報があると判定された場合、放送中の情報を記憶する指示を受け付けるステップと、
前記放送局から受信した情報を、当該情報の前記車載機での用途に対応させて記憶装置に記憶させる記憶ステップとを行い、
前記車載機は、前記記憶装置に記憶された情報を、当該情報に対応させて記憶された用途に利用することを特徴とするシステムの情報処理方法。
【請求項６】
地上波デジタル放送受信機と車載機とを有するシステムの情報処理方法であって、
前記地上波デジタル放送受信機は、
指標情報を受け付ける指標情報受付ステップと、
放送局から受信した情報を、当該情報の前記車載機での用途および前記指標情報受付ステップにより受け付けた指標情報に対応させて記憶装置に記憶させる記憶ステップとを行い、
前記車載機は、前記記憶装置に記憶された情報を、当該情報に対応させて記憶された指標情報とともに表示するとともに、当該情報を、当該情報に対応させて記憶された用途に利用する指示を受け付ける指示受付ステップと、
当該情報を、当該情報に対応させて記憶された用途に利用する情報利用ステップとを行うことを特徴とするシステムの情報処理方法。
【請求項７】
地上波デジタル放送受信機と車載機とを有するシステムの情報処理方法であって、
前記地上波デジタル放送受信機は、
放送中の情報の記憶指示を受け付ける記憶指示受付ステップと、
前記記憶指示受付ステップにより記憶指示を受け付けたときに放送されていた情報を、当該情報の車載機での用途に対応させて記憶装置に記憶させる記憶ステップとを行い、
前記車載機は、前記記憶装置に記憶された情報を、当該情報に対応させて記憶された用途に利用することを特徴とするシステムの情報処理方法。
【請求項８】
請求項７において、
前記記憶ステップは、前記記憶指示受付ステップにより記憶指示を受け付けたときの前後所定時間内に放送された情報を、当該情報の車載機での用途に対応させて記憶装置に記憶させる
ことを特徴とするシステムの情報処理方法。
【請求項９】
請求項３において、
前記地上波デジタル放送受信機は、自身の入力装置に用途受付手段を有し、
前記用途選択受付ステップは、前記用途受付手段により用途の選択を受け付ける
ことを特徴とするシステムの情報処理方法。
【請求項１０】
請求項２において、
前記用途受付ステップは、用途の選択を受け付ける際、用途の選択受付画面を表示する
ことを特徴とするシステムの情報処理方法。
【請求項１１】
地上波デジタル放送受信機と車載用ナビゲーション装置とを有するシステムの情報処理方法であって、
前記地上波デジタル放送受信機は、
用途の選択を受け付ける用途選択受付ステップと、
放送局から受信した情報を、前記用途受付ステップにより受け付けた用途に対応させて記憶装置に記憶させる記憶ステップとを行い、
前記車載用ナビゲーション装置は、前記記憶装置に記憶された情報を、当該情報に対応させて記憶された用途に利用し、
前記記憶ステップは、前記用途選択受付ステップが用途として目的地設定を受け付けた場合、放送局から受信した情報に含まれる地点の位置情報を、目的地設定の用途に利用される情報として記憶装置に記憶させ、
前記車載用ナビゲーション装置は、前記記憶装置に記憶された位置情報を用いて目的地を設定し、出発地から当該目的地までのナビゲーション処理を行うことを特徴とするシステムの情報処理方法。
【請求項１２】
地上波デジタル放送受信機と車載機とを有するシステムに用いられる車載機の情報処理方法であって、
前記地上波デジタル放送受信機が放送局から受信しその用途と対応させて記憶させた情報を入手するステップと、
入手した情報を、当該情報に対応させて記憶された用途に利用する情報利用ステップとを行うことを特徴とする車載機の情報処理方法。
【請求項１３】
地上波デジタル放送受信機と車載機とを有するシステムであって、
前記地上波デジタル放送受信機は、放送局から受信した情報を、その用途と対応させて記憶装置に記憶させる手段を有し、
前記車載機は、前記記憶装置に記憶された情報を、当該情報に対応させて記憶された用途に利用する手段を有することを特徴とするシステム。
【発明の詳細な説明】
【技術分野】
【０００１】
本発明は、車載機に関し、特に車載機の地上波デジタル放送情報の利用技術に関する。
【背景技術】
【０００２】
地上波デジタル放送で流された情報を車載機が容易に利用できると便利である。例えば、車載用ナビゲーション装置が、地上波デジタル放送で紹介された特定の店の位置情報を利用できれば、その店を目的地としてナビゲーション処理を行うことができる。また、地上波デジタル放送で流された映像を車載機の画面の壁紙等に設定したり、放送された音楽を車載機で再生したりすることができる。
【０００３】
この点、特許文献１に記載の技術では、まず、テレビ受信機が受信した情報をメモリカードに記録する。メモリカードはユーザにより車載用ナビゲーション装置に移動可能である。車載用ナビゲーション装置は、メモリカードに記憶された情報を読み取り、読み取った店の位置情報等から目的地を設定してナビゲーション処理を行う。こうして、放送された情報を車載用ナビゲーション装置で利用することを可能としている。
【０００４】
【特許文献１】特開２００２−２２１４２４号公報
【発明の開示】
【発明が解決しようとする課題】
【０００５】
しかし、メモリカードに、様々な用途に使用される多くの情報が記憶されると、その中から必要な情報を取り出す作業は煩雑となる。また、取り出した情報をどのような処理に利用するかの設定も煩雑となる。例えば、放送された店を目的地に設定するためには、まず、メモリカードに記憶された情報を一つ一つチェックしていき、目的の店の位置情報を見つけ出さなければならない。そして、さらに、見つけ出した位置情報に基づいて、目的地を設定するという作業をしなければならない。
【０００６】
本発明は上記事情に鑑みてなされたものであり、本発明の目的は、放送された情報を車載機で簡便に用いる技術を提供することにある。
【課題を解決するための手段】
【０００７】
上記課題を解決するために、本発明の地上波デジタル放送受信機と車載機とを有するシステムは、地上波デジタル放送受信機に、放送局から受信した情報をその用途とともに記憶させる。そして、車載機は、記憶された情報をその用途に用いる。
【０００８】
例えば、地上波デジタル放送受信機と車載機とを有するシステムにおいて、前記地上波デジタル放送受信機は、放送局から受信した情報を、当該情報の前記車載機での用途に対応させて記憶装置に記憶させる。前記車載機は、前記記憶装置に記憶された情報を、当該情報に対応させて記憶された用途に利用する。
【０００９】
また、前記車載機は、用途の選択を受け付ける用途受付ステップと、前記記憶装置に記憶された情報の中から、前記用途受付ステップにより受け付けた用途に対応する情報を抽出する情報抽出ステップと、前記情報抽出ステップにより抽出した情報を、当該情報に対応させて記憶された用途に利用する情報利用ステップとを行うようにしてもよい。
【００１０】
また、前記地上波デジタル放送受信機は、放送局から受信した情報の前記車載機での用途の選択を受け付ける用途選択受付ステップと、放送局から受信した情報を、前記用途選択受付ステップにより受け付けた用途に対応させて記憶装置に記憶させる記憶ステップとを行うようにしてもよい。
【発明を実施するための最良の形態】
【００１１】
以下に、本発明の一実施形態が適用された、地上波デジタル放送の情報利用システムを説明する。
【００１２】
本実施形態の地上波デジタル放送の情報利用システムは、地上波デジタル放送受信機（以下、「放送受信機」という。）２００と、車載機とを有する。以下では、車載機が車載用ナビゲーション装置１００である場合について説明する。
【００１３】
図１は、放送受信機２００の概略構成図である。図示するように、放送受信機２００は、アンテナ２１０と、受信部２２０と、ＡＶコントローラ２３０と、入力装置２４０と、情報記録装置２５０と、スピーカ２６０と、ディスプレイ２７０とを有する。
【００１４】
放送受信機２００と車載用ナビゲーション装置１００との間の情報の受け渡しはメモリカード５００を介して行われる。本実施形態では、ＩＣカード、磁気カード等のメモリカード５００を使用した形態について説明するが、必要な情報を記録することができる情報記録媒体であれば、その記録方式、形状に制限はない。
【００１５】
受信部２２０は、アンテナ２１０で受信した地上波デジタル信号からデジタル音響信号、デジタル映像信号及びその他のデータ信号を復元し、ＡＶコントローラ２３０に出力する。図示するように、放送波受信部２２０は、チューナ２２１と、ＯＦＤＭ（Orthogonal Frequency Division Multiplexing）復調部２２２と、ＤＥＭＵＸ（分離部）２２３と、デコーダ２２４と、を有する。
【００１６】
チューナ２２１は、アンテナ２１０で受信した地上波デジタル放送信号から、入力装置２４０を介してユーザより指定されたチャンネルを選局する。ＯＦＤＭ復調部２２２は、チューナ２２１で選局されたチャンネルのＯＦＤＭ変調信号をＯＦＤＭ復調してＴＳ（Transport Stream）を出力する。ＤＥＭＵＸ２２３は、ＯＦＤＭ復調部２２２から出力されたＴＳを放送コンテンツの符号化音響データ及び符号化映像データに分離する。デコーダ２２４は、ＤＥＭＵＸ２２３から出力された符号化音響データ及び符号化映像データをデコードし、ＡＶコントローラ２３０へ出力する。
【００１７】
ＡＶコントローラ２３０は、放送波受信機２２０から出力されたデジタル映像信号又はデジタル映像信号をスピーカ２６０又はディスプレイ２７０に出力する。図示するように、ＡＶコントローラ２３０は、主制御部２３１と、バッファ２３５と、データ処理部２３２と、音響処理部２３３と、描画処理部２３４とを有する。
【００１８】
主制御部２３１は、各処理部を制御する。バッファ２３５は、スピーカ２６０に出力される音響信号や、ディスプレイ２７０に出力される映像信号を一時的に記憶する。
【００１９】
データ処理部２３２は、主制御部２３１の指示に従って、番組に含まれる情報を、情報記録装置２５０を介してメモリカード５００に記録する。
【００２０】
音響処理部２３３は、主制御部２３１の指示に従い、デジタル音響信号をスピーカ２６０に出力する。描画処理部２３４は、主制御部２３１の指示に従い、デジタル描画信号をディスプレイ２７０に出力する。
【００２１】
図２は、入力装置２４０の概略構成を示す図である。図示するように、入力装置２４０は、電源のＯＮ・ＯＦＦの指示を受け付ける電源ボタン２４１と、チャンネルの選択を受け付けるチャンネルボタン２４２と、用途選択受付ボタン２４５〜２４７とを有する。用途選択受付ボタン２４５〜２４７は、放送された情報の記憶指示を受け付けるとともに、車載用ナビゲーション装置１００で利用する場合の用途の指定を受け付けるためのボタンである。用途選択受付ボタン２４５〜２４７は、記憶する情報の用途ごとに設けられている。詳しくは、後述する。
【００２２】
図３は、車載用ナビゲーション装置１００の概略構成図である。図示するように、車載用ナビゲーション装置１００は、演算装置１１０と、測位装置１２０と、入力装置１３０と、ディスプレイ１４０と、スピーカ１５０と、データ記憶装置１６０と、メモリカード読書装置１７０とを有する。
【００２３】
演算装置１１０は、様々な処理を行う中心的ユニットである。演算装置１１０は、ユーザ操作解析部１１１と、ナビ処理部１１２と、表示処理部１１３と、音声処理部１１４と、放送情報処理部１１５とを有する。
【００２４】
ユーザ操作解析部１１１は、入力装置１３０を介してなされたユーザの操作を解析し操作に応じた処理を行うように他の処理部に指示する。
【００２５】
ナビ処理部１１２は、各種のナビゲーション処理を行う。例えば、測位装置１２０から出力される情報を基にして現在地を検出し、得られた現在地情報に基づいて、表示に必要な地図データをデータ記憶装置１６０から読み出す。また、読み出した地図データをグラフィックス展開し、そこに現在地を示すマークを重ねてディスプレイ１４０へ表示するように表示処理部１１３に指示する。また、データ記憶装置１６０に記憶されている地図データを用いて、ユーザから指示された目的地と現在地（出発地）とを結ぶ最適な経路（推奨経路）を探索し、ディスプレイ１４０を用いてユーザを誘導する。
【００２６】
表示処理部１１３は、要求された映像がディスプレイ１４０に表示されるようにコマンドを生成し、生成したコマンドをディスプレイ１４０に出力する。音声処理部１１４は、ユーザ操作解析部１１１やナビ処理部１１２の指示に従って、音響信号を生成し、スピーカ１５０に出力する。
【００２７】
放送情報処理部１１５は、メモリカード５００を介して放送受信機２００から入手した放送情報に関する処理を行う。例えば、放送情報が車載用ナビゲーション装置の処理に利用されるように設定する。
【００２８】
このように構成される各処理部の機能は、数値演算及び各デバイスを制御するといった様々な処理を実行するＣＰＵ(Central Processing Unit)と、データ記憶装置１６０から読み出した地図データや演算データなどを格納するＲＡＭ(Random Access Memory)と、プログラムやデータを格納するＲＯＭ(Read Only Memory)と、メモリ間およびメモリと各デバイスとの間のデータ転送を実行するＤＭＡ（Direct Memory Access）と、グラフィックス描画を実行し且つ表示制御を行う描画コントローラと、グラフィックスイメージデータを蓄えるＶＲＡＭ(Video Random Access Memory)と、イメージデータをＲＧＢ信号に変換するカラーパレットと、アナログ信号をデジタル信号に変換するＡ/Ｄ変換器と、シリアル信号をバスに同期したパラレル信号に変換するＳＣＩ(Serial Communication Interface)と、パラレル信号をバスに同期させてバス上にのせるＰＩＯ(Parallel Input/Output)と、パルス信号を積分するカウンタと、を有するコンピュータにより達成される。
【００２９】
測位装置１２０は、車両の現在位置（自車位置）を算出するための情報を出力する装置である。測位装置１２０は、車輪速センサ、地磁気センサ、ジャイロセンサ、ＧＰＳ(Global Positioning System)受信装置等から構成される。
【００３０】
入力装置１３０は、ユーザからの指示を受け付けるユニットで、スクロールキー、縮尺変更キーなどのハードスイッチ、ジョイスティック、ディスプレイ上に貼られたタッチパネルなどで構成される。
【００３１】
ディスプレイ１４０は、演算装置１１０で生成されたグラフィックス情報を表示するユニットで、ＣＲＴや液晶ディスプレイなどで構成される。
【００３２】
データ記憶装置１６０は、ＣＤ-ＲＯＭやＤＶＤ-ＲＯＭやＨＤＤやＩＣカードといった記憶媒体で構成されている。この記憶媒体には、地図データが記憶されている。地図データには、道路を構成する各リンクのリンクデータや、特定の地点（例えば、目印になりうる地点）についての名称、その地点の座標情報等が含まれている。
【００３３】
スピーカ１５０は、演算装置１１０で生成したユーザへのメッセージを音声信号に変換し出力する。
【００３４】
メモリカード読書装置１７０は、メモリカード５００が挿入可能に構成されている。そして、メモリカード５００に記録された情報を読み取り、演算装置１１０に送信する。また、演算装置１１０からの指示に従って、記録内容の削除、変更等を行う。
【００３５】
［動作の説明］次に、上記のように構成されるシステムの動作について説明する。まず、放送受信機２００の動作について説明する。
【００３６】
図４は、放送受信機２００の番組放映中の動作を説明するためのフロー図である。
【００３７】
放送受信機２００の主制御部２３１は、番組放映中、放送情報の記憶指示を受け付ける（Ｓ１０６）。本実施形態では、図２に示したように、入力装置２４０は、放送情報の記憶指示をその情報の用途とともに受け付ける用途選択受付ボタン２４５〜２４７を有している。したがって、主制御部２３１は、このボタン２４５〜２４７が押下されたか否かで、放送情報の記憶指示及びその用途を受け付ける。
【００３８】
放送情報の記憶指示とその情報の用途とを受け付けると（Ｓ１０６でＹｅｓ）、主制御部２３１は、その情報の優先度の選択を受け付ける（Ｓ１０７）。
【００３９】
図５は、情報の用途が「目的地設定」であった場合におけるディスプレイ２７０に表示される優先度受付画面２７２の表示例である。なお、主制御部２３１は、描画処理部２３４を介して画面の表示を行う。
【００４０】
図示するように、表示画面２７２には、放送番組２７３が表示される。そして、現在放映している地域の情報を「目的地設定」の用途に利用する情報として記憶する旨のメッセージ２７４と、優先度の指定をユーザに促すメッセージ２７５が表示される。
【００４１】
主制御部２３１は、入力装置２４０を介してユーザから優先度の選択を受け付ける。優先度は、放送情報の指標となる情報である。優先度は、例えば、車載用ナビゲーション装置１００での放送情報の表示の順番を決めるのに用いられる。また、優先度は、ユーザが放送情報の中身を思い出し易くするために用いられる。本実施形態では、１〜５の範囲で優先度の選択ができるようになっている。
【００４２】
次に、主制御部２３１は、放送情報の記憶指示を受け付けたときに放送されていた情報を、バッファ２３５に記憶されている情報の中から抽出する。このとき、必要に応じて関連ある情報も抽出する（Ｓ１０８）。
【００４３】
例えば、その情報の用途が「目的地設定」であった場合、記憶指示を受け付けたときの放映内容のうち、店や地域等の特定の地点に関する情報を、バッファ２３５から抽出する。地点に関する情報としては、例えば、その地点、場所、店等の名称、住所、電話番号、ファクシミリ番号、ＵＲＬ、電子メールアドレス、緯度・経度等である。
【００４４】
また、その情報の用途が「スナップショット」の場合、記憶指示を受け付けたときに放映されていた映像の映像データをバッファ２３５から抽出する。動画の場合は、数秒間の映像を動画データとして抽出する。このとき、記憶指示を受け付けたときの前後（例えば、前後５分間）の映像を抽出するようにしてもよい。
【００４５】
また、その情報の用途が「音声再生」の場合、記憶指示を受け付けたときにスピーカ２６０から出力されていた音声の音声データをバッファ２３５から抽出する。音声が、楽曲の場合は、一曲分の音声データを抽出する。
【００４６】
また、情報の用途が「映像再生」の場合、記憶指示を受け付けたときに放映されていたＴＶ番組、映画等のデータをバッファ２３５から抽出する。
【００４７】
なお、抽出する情報は、必ずしもディスプレイ２７０に表示された情報に限られない。放送受信機２００が放送局（図示しない）から受信しバッファ２３５に記憶している情報であればよい。
【００４８】
次に、主制御部２３１は、抽出した情報（放送情報）５０２と、その情報の用途（用途情報）５０４と、優先度５０６とを、データ処理部２３２を介してメモリカード５００に記憶させる（Ｓ１０９）。このとき、主制御部２３１は、図６に示すように、表示画面２７２に、放送情報がその用途とともに記憶されたことを知らせるメッセージ２７８を表示するようにしてもよい。
【００４９】
メモリカード５００への記憶を行うと、主制御部２３１は、Ｓ１０６に戻って処理を続ける。
【００５０】
番組放映中、放送情報の記憶指示を受け付けると、このような処理（Ｓ１０６〜Ｓ１０９）が繰り返される。そして、メモリカード５００には、図７に示すように、放送情報５０２と、その用途５０４と、優先度５０６とがセットになって蓄積される。
【００５１】
なお、同じ放送情報に対して、複数の用途を指定できるようにしてもよい。例えば、主制御部２３１は、Ｓ１０９の終了後、同じ放送情報について、他の用途を指定するか否かの選択を受け付けるようにする。そして、他の用途の指定をするように選択された場合は、他の用途の指定を受け付けた後、Ｓ１０７以降の処理を行うようにする。こうすれば、放映された同一の情報を、車載用ナビゲーション装置１００で複数の用途で用いることができるようになる。
【００５２】
次に、車載用ナビゲーション装置１００の動作について説明する。図８は、車載用ナビゲーション装置１００の放送情報５０２の利用についての処理の流れを示すフロー図である。
【００５３】
このフローは、放送情報５０２を特定の用途に利用するように要求があったときに開始される。ただし、メモリカード５００に記憶された情報の読み取り要求があったとき、またはメモリカード５００がメモリカード読書装置１７０に挿入されたときに自動的に開始されるようにしてもよい。
【００５４】
まず、放送情報処理部１１５は、メモリカード５００に記憶されている情報をメモリカード読書装置１７０を介して読み取る（Ｓ２０２）。次に、読み取った情報の中から、放送情報５０２の用途５０４を抽出する。そして、抽出した用途５０４をディスプレイ１４０に列挙して表示する（Ｓ２０４）。次いで、いずれかの用途の選択を入力装置１３０を介して受け付ける（Ｓ２０６）。
【００５５】
図９は、用途選択の受付画面６００の表示例である。符号６１０に示すように、用途選択の受付画面６００には、用途６１１〜６１３が列挙される。
【００５６】
いずれかの用途が選択されと、放送情報処理部１１５は、その用途の放送情報５０２及び対応する優先度５０６とをメモリカード５００の情報の中から抽出する。そして、抽出した放送情報５０２と優先度５０６とをディスプレイ１４０の画面に表示する（Ｓ２０８）。ここで、同一の用途の放送情報５０２が複数ある場合は、記憶日時の早い順に表示する。なお、記憶日時の遅い順、または優先度の高い順に表示してもよい。
【００５７】
図９は、Ｓ２０６において、用途として「目的地設定」が選択された場合である。図示するように、メモリカード５００に記憶された情報のうち、用途５０４が「目的地設定」である放送情報５０２が放送情報表示枠６２０に表示されている。
【００５８】
放送情報表示枠６２０には、放送情報５０２に基づいて、その地点の名称、住所、緯度・経度等の情報６２１、その地域の画像６２２が表示される。また、優先度６３０も表示される。また、画像が複数ある場合は、画像を順にめくって変更する指示を受け付けるボタン６２３が表示される。
【００５９】
また、同一の用途の放送情報が複数ある場合は、「次」又は「前」の放送情報の表示の指示を受け付けるためのボタン６２５及び６２６が表示される。戻りボタン６２９は、用途の選択の受け付け（Ｓ２０４）に戻るためのボタンである。
【００６０】
図１０は、Ｓ２０６において、用途として「音声再生」が選択された場合である。図示するように、メモリカード５００に記憶された情報のうち、用途５０４が「音声再生」である放送情報５０２が放送情報表示枠６２０に表示されている。また、図９で示した各表示（６２１，６２３，６２５，６２６，６２８，６２９）及び曲目等の音声に関する情報６２７のほかに、試聴ボタン６２４が表示されている。この試聴ボタン６２４が押されると、放送情報処理部１１５は、放送情報５０２に含まれる音声データを用いてスピーカ１５０に音声を出力させる。これにより、ユーザは、音声の試聴ができる。
【００６１】
図９や図１０に示す画面６００の表示中において、設定ボタン６２８が押されると、放送情報処理部１１５は、表示されている放送情報が、対応する用途に利用されるように設定する（Ｓ２１０）。
【００６２】
例えば、用途が「目的地設定」の放送情報の場合、その放送情報により特定される地点を、経路探索の目的地に設定する。そして、放送情報処理部１１５は、ナビ処理部１１２に、現在位置から目的地までの経路探索を行うように指示する。
【００６３】
また、例えば、用途が「スナップショット」の放送情報の場合、ユーザからの要求に応じて、その放送情報に含まれる映像を、起動時（ブート時）の画面の映像等に設定する。また、ユーザの要求に応じて、その放送情報により特定される地点に車両が近づいたときに、その放送情報に含まれる映像が表示されるように設定してもよい。かかる場合、放送情報処理部１１５は、ナビ処理部１１２に指示して、現在位置がその地点から所定の距離範囲（例えば３００ｍ）に近づいたかどうか監視させる。そして、近づいた場合、放送情報処理部１１５は、ディスプレイ１４０にその地点の映像を表示する。
【００６４】
また、例えば、用途が「音声再生」の放送情報の場合、ユーザの要求に応じて、その放送情報に含まれる音声データにより生成される音声を、起動時にスピーカ１５０から出力する音声に設定する。また、ユーザの要求に応じて、その放送情報により特定される地点に車両が近づいたときに、その放送情報に含まれる音声が出力されるようにしてもよい。かかる場合、放送情報処理部１１５は、ナビ処理部１１２に指示して、現在位置がその地点から所定の距離範囲（例えば３００ｍ）に近づいたかどうか監視させる。そして、近づいた場合、放送情報処理部１１５は、スピーカ１５０にその音声を出力させる。
【００６５】
また、例えば、用途が「映像再生」の放送情報の場合、放送情報処理部１１５は、ユーザの要求に応じて、その放送情報に含まれる映画等の続きの映像を出力するように設定してもよい。
【００６６】
以上、本発明の一実施形態について説明した。上記実施形態によれば、放送された情報が、その用途と対応して記憶される。したがって、用途を指定するだけで、目的の情報を素早く検索できる。すなわち、車載機に、地上波デジタル放送で流された情報を、簡便な操作で利用させることができる。
【００６７】
また、従来、目的の情報を検索するためには、メニュー画面から多くの選択ステップを経なければならなかった。これに対し、本実施形態によれば、車載機は、放送された情報を入手すると、すぐに用途の選択受付画面を表示する。そして、選択された用途の放送情報を提示して、選択を受け付ける。次いで選択された放送情報がその用途に利用されるように設定する。したがって、簡便な操作で、入手した放送情報を車載機に利用させることができる。
【００６８】
また、記憶された放送情報が表示される際、指標となる優先度が表示される。したがって、ユーザは容易に放送情報を思い出すことができ、目的の情報を検索するのが容易となる。
【００６９】
また、記憶された放送情報が表示される際、放送情報の記憶指示を受け付けたときの前後の映像を表示することができる。したがって、ユーザは容易に放送情報を思い出すことができ、目的の情報を検索するのが容易となる。
【００７０】
上記実施形態は、本発明の要旨の範囲で様々な変形が可能である。
【００７１】
例えば、上記実施形態では、図２に示すように、放送受信機２００の入力装置２４０に用途選択受付ボタン２４５〜２４７が設けられている。これに限らず、ディスプレイ２７０にタッチパネルを設けて、タッチパネル上に用途選択受付ボタンを設けてもよい。また、用途選択受付ボタンをディスプレイ２７０に表示させて入力装置２４０を介して選択させるようにしてもよい。
【００７２】
また、放映されている情報の中に、車載機で利用され得る情報がある場合にのみ、その情報の記憶指示を受け付けるようにしてもよい。
【００７３】
図１１は、かかる場合の処理のフロー図である。このフローは、図４のフローにＳ１０１〜Ｓ１０４の処理が追加されている。
【００７４】
まず、放送受信機２００の主制御部２３１は、放送中の情報を調べる（Ｓ１０１）。そして、放送中の情報の中に、車載機で利用され得る情報があるか否か、すなわち、「用途」と対応させて記憶すべき情報があるか否か判定する（Ｓ１０２）。
【００７５】
具体記には、目的地として設定され得る地点情報が含まれているか否か、車載機の表示に利用され得る映像情報が含まれているか否か、車載機の音声出力に利用され得る音声データが含まれているか否かにより判定する。
【００７６】
そして、車載機で利用され得る情報がある場合（Ｓ１０２でＹｅｓ）、主制御部２３１は、その情報を記憶させるか否かの指示を受け付ける指示受付画面を表示する（Ｓ１０３）。次いで、記憶指示を受け付けたか否か判定する（Ｓ１０４）
図１２は、放映内容に目的地として設定可能な情報が含まれている場合における指示受付画面２８２の表示例である。画面には、放映中の映像２８３のほかに、目的地として設定可能な情報が含まれていることを知らせるメッセージ２８５と、記憶させるかどうかの指示を受け付けるボタン２８６とが表示される。
【００７７】
ボタン２８６が入力装置２４０を介して押されると（Ｓ１０４でＹｅｓ）、主制御部２３１は、Ｓ１０７に処理を移行する。Ｓ１０７〜Ｓ１０９の処理は、図４のフローと同様であるので説明を省略する。
【００７８】
このようなフローによれば、対象となる情報が放映されている場合に、放送情報を記憶するか否かの質問がユーザに対してなされる。したがって、ユーザにとって使い勝手がよいものとなる。
【００７９】
また、図８に示す処理では、車載機（ナビゲーション装置１００）は、メモリカード５００から放送情報を読み取っている。これに限らず、メモリカード５００の記録内容を予めデータ記憶装置１６０に読み込んでおいてもよい。そして、放送情報処理部１１５は、図８の処理を行う際、データ記憶装置１６０から必要な情報を読取るようにしてもよい。例えば、メモリカード５００がメモリカード読書装置１７０に挿入されると、自動的に若しくはユーザの要求に応じて、メモリカード読書装置１７０はメモリカード５００の記録内容を読み取り、データ記憶装置１６０に記憶するようにしてもよい。
【００８０】
また、上記実施形態では、放送受信機２００と車載機（ナビゲーション装置１００）との間の情報の受け渡しは、メモリカード５００を介して行われている。これに限らず、有線あるいは無線の通信ネットワークを介して情報を授受するようにしてもよい。例えば、放送受信機２００をユーザの家の中に設置し、無線ＬＡＮを経由して、車載機に情報を送信するようにしてもよい。また、車載機の通信装置が放送受信機２００に対して情報を要求するようにしてもよい。
【００８１】
また、上記実施形態では、車載機がナビゲーション装置である場合について主に説明したが、これに限られない。車載機は、オーディオ機器であってもよい。また、放送受信機２００は、ユーザの家の中など、車載機が搭載された車両の外に設置されてるものであってもよいし、車載機が搭載された車両の中に設置されるものであってもよい。
【００８２】
また、放送受信機２００の受信部２２０とＡＶコントローラ２３０とは一つの筐体に収められているものであってもよい。また、ＡＶコントローラ２３０は、車載機に組み込まれているものであってもよい。
【００８３】
また、放送受信機２００と、車載機とが、一の筐体に一体に設けられていても良い。そして、ＣＰＵ、メモリ、入出力装置等のハードウエア資源を共有するものであってもよい。
【図面の簡単な説明】
【００８４】
【図１】図１は地上波デジタル放送受信機の概略構成図である。
【図２】図２は地上波デジタル放送受信機の入力装置の概略構成図である。
【図３】図３は車載用ナビゲーション装置の概略構成図である。
【図４】図４は地上波デジタル放送受信機の放映中の処理を示すフロー図である。
【図５】図５は記憶する放送情報の優先度受付画面の表示例である。
【図６】図６は放送情報を記憶したこと示す画面の表示例である。
【図７】図７はメモリカードに記録される情報の構成を示す図である。
【図８】図８は車載用ナビゲーション装置の放送情報利用のため処理のフロー図である。
【図９】図９は用途選択受付画面及び選択された用途の放送情報の表示画面の一例である。
【図１０】図１０は用途選択受付画面及び放送情報の表示画面の一例である。
【図１１】図１１は地上波デジタル放送受信機の放映中の処理を示すフロー図である。
【図１２】図１２は記憶指示の受付画面の表示例である。
【符号の説明】
【００８５】
１００…車載用ナビゲーション装置、１１０…演算装置、１１１…ユーザ操作解析部、１１２…ナビ処理部、１１３…表示処理部、１１４…音声処理部、１１５…放送情報処理部、１２０…測位装置、１３０…入力装置、１４０…ディスプレイ、１５０…スピーカ、１６０…データ記憶装置、１７０…メモリカード読書装置、
２００…地上波デジタル放送受信機、２１０…アンテナ、２２０…受信部、２２１…チューナ、２２２…ＯＦＤＭ復調部、２２３…分離部、２２４…デコーダ、２３０…ＡＶコントローラ、２３１…主制御部、２３２…データ処理部、２３３…音響処理部、２３４…描画処理部、２３５…バッファ、２４０…入力装置、２５０…情報記録装置、２６０…スピーカ、２７０…ディスプレイ、
２４１…電源ボタン、２４２…チャンネルボタン、２４５〜２４７…用途選択受付ボタン、
５００…メモリカード
【図１】
2006186471.tif 000003
【図２】
2006186471.tif 000004
【図３】
2006186471.tif 000005
【図４】
2006186471.tif 000006
【図５】
2006186471.tif 000007
【図６】
2006186471.tif 000008
【図７】
2006186471.tif 000009
【図８】
2006186471.tif 000010
【図９】
2006186471.tif 000011
【図１０】
2006186471.tif 000012
【図１１】
2006186471.tif 000013
【図１２】
2006186471.tif 000014